(57)【要約】【課題】映像再生装置において、プレイリストを指定して再生する場合に、番組に付加したチャプタを利用した番組操作をできるようにする。【解決手段】映像再生装置では、プレイリストを作成する場合に、プレイリスト再生用のインデックス情報領域に、番組のチャプタ情報などの付加情報をコピーして、プレイリストによる再生時に利用する。また、プレイリスト再生用の装置独自情報領域に、ダイジェスト視聴情報などの番組の装置独自情報をコピーして、プレイリストによる再生時に利用する。【選択図】        図４
2008236145.tif 000002
【特許請求の範囲】
【請求項１】
インデックス情報を有する映像データを記録する記録部と、
プレイリストを作成するプレイリスト作成部と、
前記プレイリスト作成部がプレイリストを作成する際に映像データに含まれるインデックス情報をコピーするよう制御する制御部とを有する再生装置。
【請求項２】
映像データを番組のプログラムファイルとして記憶する記憶装置を有する映像再生装置において、
制御部と、
一つ以上の番組まとめて、プレイリストを作成する手段と、
前記番組の再生のために前記プログラムファイル上にインデックスを作成する手段とを有し、
前記制御部は、前記番組のプログラムファイルを参照する番組情報と、前記プレイリストを作成時に生成されるプレイリスト用番組情報とをプログラム管理情報として、前記記憶装置に格納し、
前記制御部は、前記プログラムファイル上のインデックスを作成時に、インデックス情報を前記記憶装置に格納し、
前記制御部は、前記プレイリスト作成時に、前記インデックス情報を、前記記憶装置内のプレイリスト用番組情報用インデックス情報領域にコピーすることを特徴とする映像再生装置。
【請求項３】
映像データを番組のプログラムファイルとして記憶する記憶装置を有する映像再生装置において、
制御部と、
一つ以上の番組をまとめて、プレイリストを作成する手段と、
前記番組の再生時に使われる装置独自の情報を、その番組に対応付けて作成する手段とを有し、
前記制御部は、前記番組のプログラムファイルを参照する番組情報と、前記プレイリストを作成時に生成されるプレイリスト用番組情報とをプログラム管理情報として、前記記憶装置に格納し、
前記制御部は、前記プレイリスト作成時に、前記装置独自の情報を、前記記憶装置内のプレイリスト用番組情報用インデックス情報領域にコピーすることを特徴とする映像再生装置。
【請求項４】
前記装置独自の情報が、ダイジェスト視聴情報であることを特徴とする請求項３記載映像再生装置。
【請求項５】
映像データを番組のプログラムファイルとして記憶する記憶装置を有する映像再生装置の番組情報編集方法において、
前記映像再生装置は、
制御部と、
一つ以上の番組をまとめて、プレイリストを作成する手段と、
前記番組の再生のために前記プログラムファイル上にインデックスを作成する手段とを有し、
前記制御部が、前記番組のプログラムファイルを参照する番組情報と、前記プレイリストを作成時に生成されるプレイリスト用番組情報とをプログラム管理情報として、前記記憶装置に格納するステップと、
前記制御部が、前記プログラムファイル上のインデックスを作成時に、インデックス情報を前記記憶装置に格納するステップと、
前記制御部は、前記プレイリスト作成時に、前記インデックス情報を、前記記憶装置内のプレイリスト用番組情報用インデックス情報領域にコピーするステップとを有することを特徴とする映像再生装置。
【請求項６】
映像データを番組のプログラムファイルとして記憶する記憶装置を有する映像再生装置の番組情報編集方法において、
前記映像再生装置は、
制御部と、
一つ以上の番組をまとめて、プレイリストを作成する手段と、
前記番組の再生時に使われる装置独自の情報を、その番組に対応付けて作成する手段とを有し、
前記制御部が、前記番組のプログラムファイルを参照する番組情報と、前記プレイリストを作成時に生成されるプレイリスト用番組情報とをプログラム管理情報として、前記記憶装置に格納するステップと、
前記制御部は、前記プレイリスト作成時に、前記インデックス情報を、前記記憶装置内のプレイリスト用番組情報用インデックス情報領域にコピーするステップとを有することを特徴とする映像再生装置。
【請求項７】
前記装置独自の情報が、ダイジェスト視聴情報であることを特徴とする請求項６記載映像再生装置の番組情報編集方法。
【発明の詳細な説明】
【技術分野】
【０００１】
技術分野は、映像を再生する装置又はその番組情報の編集方法に関する。
【背景技術】
【０００２】
近年、テレビ放送の分野においては、従来のアナログ放送からデジタル放送に移行しつつある。
【０００３】
特許文献１には、「光ディスク等の情報記録媒体に、例えば複数の番組或いは複数のビデオ解像度、パレンタルレベルやアングル等を含むコンテンツ情報を効率的に記録し、それらのうち所望のものを選択して再生できるようにする」ことを課題とし、その解決手段として「情報記録媒体には、複数のコンテンツ情報と、これらの再生シーケンスを規定する複数のプレイリスト情報を夫々含む複数のプレイリストセットとが記録される。更に、複数のコンテンツ情報を論理的に一まとまりの情報単位であるタイトルとして再生するように、再生されるべきコンテンツ情報に対応する少なくとも一つのプレイリストセットを、複数のプレイリストセットの中から指定するタイトル情報が記録される」ことが開示されている。
【０００４】
【特許文献１】特開２００４−１２７３９５号公報
【発明の開示】
【発明が解決しようとする課題】
【０００５】
デジタル放送では、映像データをデジタルデータとして扱い、映像データを圧縮して送信するＭＰＥＧ（Moving Picture Experts Group）などの画像圧縮技術などが用いられ、受信環境による画像の劣化などの問題が少ないという利点がある。
【０００６】
また、映像データは、通常、ファイルシステムのファイルとして、ＨＤＤ（Hard Disk Drive）などに記録される。ユーザは、録画指定により、番組をファイルとして記録し、その番組を視聴したいときには、そのファイルをＨＤＤより読み出し、再生する。デジタル放送においては、放送局からテレビジョン受信装置には、ＭＰＥＧ２のＴＳ（Transport Stream）により伝送され、ＨＤＤ上では、ＭＰＥＧ２のＴＳあるいはＰＳ（Program Stream）により保存される。
【０００７】
このようにデジタル放送では、番組をファイルとして保存することが容易であるため、そのファイルに様々な情報を付加することにより、ユーザに多様なユーティリティ機能を提供することができる。
【０００８】
そのようなユーティリティ機能の一つとして、プレイリストを作成して、そのプレイリストを指定することにより番組を再生する機能がある。このプレイリストを用いた機能とは、ユーザが記録した番組を再生する順番を自由に決められる機能である。
【０００９】
例えば、特許文献１には、ＤＶＤに記録されているＭＰＥＧ２のＰＳの番組に対してプレイリストを作成し、複数のプレイリストからタイトル情報を生成し、そのタイトル情報により論理的なひとまとまりの単位として、再生する技術が開示されている。
【００１０】
プレイリスト作成時においては、上記の特許文献１のようにコンテンツデータに対して、プレイリストを表現する情報を生成して、その情報が番組のデータの全部、あるいは、一部をポイントすることにより実現することができる。
【００１１】
ところで、上記のように様々なユーティリティ機能の内で、番組の再生時点でインデックス付けをするチャプタ機能がある。
【００１２】
従来技術に係る情報記録再生装置では、ユーザが番組にチャプタを指定しても、プレイリスト再生時には、引き継がれずチャプタを利用した番組の操作をすることができないという問題点があった。
【００１３】
また、従来の映像再生装置では、情報を記録する記録媒体であるＨＤＤは、内蔵であり、ＨＤＤに記録されたコンテンツデータを流通することは考慮されていなかった。しかしながら、近年では、リムーバブルＨＤＤにコンテンツデータを保存して、他の映像再生装置により再生する使用形態の普及が目指されている。そのためにリムーバブルＨＤＤにコンテンツデータを保存して、他の映像再生装置により使用するとき、互換性を確保し、プレイリスト作成時のユーティリティ機能を最大限使用可能とする必要が有る。
【課題を解決するための手段】
【００１４】
本発明の一実施の態様は、プレイリストを作成する際に、映像データに含まれるインデックス情報をコピーする。具体的には、映像再生装置では、プレイリストを作成する場合に、プレイリスト再生用のインデックス情報領域に、番組のチャプタ情報などの付加情報をコピーして、プレイリストによる再生時に利用する。
【００１５】
また、プレイリスト再生用の装置独自情報領域に、番組の装置独自情報をコピーして、プレイリストによる再生時に利用する。
【００１６】
また、プレイリスト再生用のサムネイル情報領域に、番組のサムネイル情報をコピーして、プレイリストによる再生時に利用する。
【発明の効果】
【００１７】
本発明によれば、より高度なユーティリティ機能が利用できる映像再生装置を提供することができる。
【００１８】
具体的には、プレイリストを指定して再生する場合に、番組に付加したチャプタを利用した番組操作をできるような映像再生装置を提供することができ、また、リムーバブルＨＤＤにコンテンツデータを保存して、他の映像再生装置により再生するときであっても、プレイリストを指定して再生する場合に、高度なユーティリティ機能が利用できる映像再生装置を提供することができる。
【発明を実施するための最良の形態】
【００１９】
以下、本発明に係る各実施形態を、図１ないし図１２を用いて説明する。
【００２０】
〔実施形態１〕
先ず、図１を用いて本発明の第一の実施形態に係る映像再生装置の構成について説明する。
図１は、本発明の第一の実施形態に係る映像再生装置のハードウェア構成例を示すブロック図である。
【００２１】
本実施形態の映像再生装置１０は、リモコン受光部１０５、操作部１０６、制御部１０７、不揮発性メモリ１０８、受信部１０１、画像／音声信号処理部１０２、記録再生制御部１０３、表示制御部１０４、および、ＨＤＤ（Hard Disk Drive）１１０からなる。
【００２２】
また、スロット１１１によりリムーバブルＨＤＤ１１０ａが差し込むことができるようになっている。
【００２３】
制御部（ＣＰＵ）１０７は、装置の各部とデータバス１０９を介して接続されており、各部を制御し、また、プログラムを実行する部分である。
【００２４】
リモコン受光部１０５は、リモコン４０のプレイリストに関する指示やネットワークやチャンネル等の操作によるＩＲ（Infrared Ray）を受光する。
【００２５】
例えば、リモコン４０により、プレイリストの作成、表示やプレイリストを指定しての番組の再生の指示を受け取ることができる。
【００２６】
受信部１０１は、地上デジタル放送、ＢＳデジタル放送およびＣＳデジタル放送ならびに地上アナログ放送のデータを受信する。
【００２７】
画像／音声信号処理部１０２には、各種放送を受信する受信部１０１が接続されており、受信部１０１で受信された放送内容および記録再生制御部１０３から得られる記録再生する内容等に係る画像データおよび音声データを処理して表示制御部１０４に伝送する。さらに、画像／音声信号処理部１０２は、外部との間でデータを入出力するための端子部（図示せず）、外部から入力される画像データおよび音声データを受け付ける外部入力部（図示せず）が接続されている。
【００２８】
また、制御部１０７および画像／音声信号処理部１０２には、ＨＤＤ１１０、または、リムーバブルＨＤＤ１１０ａが接続された記録再生制御部１０３が接続されている。
【００２９】
記録再生制御部１０３は、受信部１０１で受信したデータを画像／音声信号処理部１０２を介して受け付け、受け付けたデータを録画先であるＨＤＤ１１０、または、リムーバブルＨＤＤ１１０ａのいずれかに伝送して記録処理をおこなう。また、ＨＤＤ１１０とまたはリムーバブルＨＤＤ１１０ａとのいずれかに記録されたデータを再生する場合には、その記録されたデータを再生して記録再生制御部１０３に伝送する。
【００３０】
さらに、操作部１０６は、筐体（図示せず）の前面に設けられた各種のスイッチおよびボタンのなどからなり、各スイッチまたはボタンが操作されることにより、各スイッチまたはボタンに割り当てられた操作信号がデータバス１０９を介して制御部１０７に伝送される。
【００３１】
例えば、この操作部１０６によってもプレイリストの作成、表示やプレイリストを指定しての番組の再生の操作をおこなうことができる。
【００３２】
不揮発性メモリ（ＲＡＭ）１０８は、通常半導体により構成される記憶装置であり、制御部１０６で実行されるプログラムがロードされ、また、録画時のバッファメモリとしても使われる。
【００３３】
次に、図２ないし図７を用いて本発明の第一の実施形態に係る映像再生装置の番組情報編集方法について説明する。
【００３４】
先ず、図２を用いて本発明の一実施形態に係る映像再生装置の番組情報編集方法の処理に関するデータ構造について説明する。
図２は、ＨＤＤ６０におけるファイルとその管理情報のデータ構造を表す図である（その一）。
【００３５】
本実施形態では、図２に示すようなデータ構造を意図している。すなわち、ツリー状構造でデータが管理され、ルートディレクトリ２０１に、一つ以上のコンテンツ管理ディレクトリ２０２が配される。
【００３６】
コンテンツ管理ディレクトリ２０２の下には、プログラム情報管理ファイル２０３、一つ以上のプログラム♯ｉ（ｉは整数）のファイル（２０４、２０９、…）、オリジナル番組情報用インデックス管理ディレクトリ２１０、装置独自情報２１８のファイル、装置独自情報２１９のディレクトリが配される。
【００３７】
プログラム情報管理ファイル２０３は、例えば、プログラムの再生情報、プレイリストを作成したときのプレイリストに関する情報などが複数存在する。
【００３８】
プログラム♯ｉのファイル（２０４、２０９、…）は、ユーザが視聴する番組のデータストリームを格納するファイル（プログラムファイル）であり、そのプログラムの情報を管理するためのストリームディレクトリ２０５と対応付けられている。
【００３９】
ストリームディレクトリ２０５の下には、アクセス位置情報２０６、プログラム情報２０７、装置独自情報２０８が配される。
【００４０】
アクセス位置情報２０６は、データストリームの再生のための位置情報が格納され、これを利用してプログラム途中からの普通再生や早送りなどの特殊再生をすることができ、一つあるいは複数存在する。
【００４１】
プログラム情報２０７は、例えば記録した時間や番組の放送されたチャンネルなど、その対応するプログラムの管理情報を格納するファイルである。
【００４２】
装置独自情報２０８は、装置独自の情報であり、このプログラムに対して、ベンダ各社が固有の情報を格納するファイルである。
【００４３】
オリジナル番組情報用インデックス管理ディレクトリ２１０は、番組情報用のインデックス情報を管理するためのディレクトリであり、その下に、一つ以上のプログラム♯ｉのディレクトリが配され、プログラム♯ｉのディレクトリの下には、インデックス管理ファイル２１２と装置独自情報２１３が配される。
【００４４】
インデックスは、プログラムのストリーム中にマーク付けをおこなうものであり、このインデックスを用いて、再生時にマーク付けされた場面から再生を再開するチャプタ機能を実現することができる。
【００４５】
プレイリスト用番組情報用インデックス管理ディレクトリ２２０は、プレイリスト用の番組情報用のインデックス情報を管理するためのディレクトリであり、その下に、一つ以上のプログラム♯ｉのディレクトリが配され、プログラム♯ｉのディレクトリの下には、インデックス管理ファイル２２２と装置独自情報２２３が配される。
【００４６】
また、装置独自情報２１３、２１７は、装置独自の情報であり、インデックスに関して、ベンダー固有の情報を格納することができ、例えば、各社の独自仕様のダイジェスト再生に関する管理情報を格納することができる。
【００４７】
装置独自情報２１８のファイル、装置独自情報２１５のディレクトリは、装置独自の情報を格納するためのファイルおよびディレクトリであり、この装置に対して、ベンダーがこの装置固有の情報を格納するためのファイルおよびディレクトリである。
【００４８】
次に、図３および図４を用いて本発明の第一の実施形態に係る映像再生装置の番組情報の再生に関連するモデルについて説明する。
図３は、本発明の第一の実施形態に係る映像再生装置の番組情報の再生に関係するデータ構造について説明する図である。
図４は、オリジナル番組情報のインデックスと、プレイリスト用番組情報のインデックスの関係を説明する図である。
図５は、プレイリスト作成画面の例を示す図である。
【００４９】
図３に示される番組♯ｉ（ｉ＝１,２,３）のコンテンツデータは、図３に示されたプログラム♯ｉ（２０４、２０９、…）のファイルに格納されたストリームデータにより実現され、実際に放送局から受信したパケットを加工して格納したものである。
【００５０】
オリジナル番組情報は、録画時に作られるプログラム管理情報ファイル２０３に格納されるプログラム管理情報の一部であり、コンテンツデータを参照するための記録位置情報や、例えばサムネイル画像の記録位置情報、レジュームポイント、インデックスの数といった情報によって構成される。
【００５１】
また、プレイリストを作成した場合には、プレイリスト用の番組情報が作られる。プレイリスト用の番組情報は、図３に示されるようにオリジナル番組情報とは別に作られ、プレイリストを再生するために作られるコンテンツデータを参照するための位置情報である。プレイリスト用の番組情報もプログラム管理情報ファイル２０３に格納されるプログラム管理情報である。
【００５２】
プレイリストとは、いくつかの番組をまとめたり、名称をつけたりしてユーザが再生を便利にするために作るリストである。
【００５３】
例えば、図５はチャプタ作成時にユーザが操作する画面の一例である。（ａ）に示されるように、画面上部には番組Ａの分割されたチャプタのサムネイル画像が並んでおり、番組Ａのチャプタ３とチャプタ４を選択して、画面下部のプレイリストに追加してプレイリスト作成を完了すると番組Ａのチャプタ３とチャプタ４をプレイリスト用番組情報から参照するプレイリストを作成する。同様に図５（ｂ）のように番組Ａと番組Ｄを一つのプレイリストに入れることができる。
【００５４】
プレイリスト参照情報は、例えば、視聴者ごとに、視聴したい番組、プレイリストをフォルダに入れるときに、作成されるプレイリストに含まれるコンテンツデータを参照するための記録位置情報である。このプレイリスト参照情報もプログラム管理情報ファイル２０３に格納されるプログラム管理情報である。
【００５５】
本実施形態では、プレイリストを作成する場合に、番組につけられたインデックス（チャプタ）を利用できるようにするものである。
【００５６】
図４に示されるように番組Ａのオリジナル番組情報が付加されており、それから新たなプレイリストでインデックスＡからインデックスＤまでの範囲の参照を行う場合には、中間に有るインデックスＢおよびＣのインデックス情報もプレイリスト用の番組情報に追加し、番組を再生するときに利用できるようにする。
【００５７】
図２に示したインデックス管理ファイル２１２のインデックス情報は、オリジナル番組情報の使用できるインデックス情報である。
【００５８】
したがって、プレイリスト用のインデックス管理ディレクトリであるプレイリスト用番組情報用インデックス管理ディレクトリ２１６の下にプレイリスト用番組情報のインデックス情報を持たせるようにして、プレイリストによる再生時にもインデックスを使えるようにする。
【００５９】
次に、図６および図７を用いて映像再生装置のプレイリスト作成時の処理について説明する。
図６は、本発明の第一の実施形態に係る映像再生装置のプレイリスト作成時の処理について説明するフローチャートである。
図７は、チャプタ情報のコピーの有無をユーザに問い合わせる画面を示す図である。
【００６０】
プレイリストを作成する場合には、先ず、該当するプレイリストのプレイリスト用番組情報を生成する（Ｓ６０１）。
【００６１】
次に、インデックスをコピーするか否かを判定し（Ｓ６０２）、インデックスをコピーすることになっているときには、そのプレイリストに係るインデックス情報をコピーすることにする（Ｓ６０３）。コピーしないこととなっている場合にはインデックス情報をコピーせずに処理を終了する。
【００６２】
上記の処理は、図１に示した制御部（ＣＰＵ）１０７が図２に示した各階層のプログラムを不揮発メモリ（ＲＡＭ）１０８にロードして実行することによりなされる。
【００６３】
インデックスのコピーの有無は、図７に示されるようにプレイリスト作成時にユーザに問い合わせるようにしてもよいし、システムの環境変数として持たせてユーザに変更できるようにさせてもよい。
【００６４】
すなわち、プレイリスト作成時にユーザに問い合わせる場合には、図７に示されるように、図５に示したプレイリスト作成画面の表示後に、画面７０１にチャプタ情報コピー問い合わせウィンドウ７０２を表示し、ユーザにリモコン４０や操作部１０６のボタンなどから選択させる。
【００６５】
〔実施形態２〕
次に、図８および図９を用いて本発明の第二の実施形態に係る映像再生装置の構成について説明する。
図８は、本発明の第二の実施形態に係る映像再生装置のプレイリスト作成時の処理について説明するフローチャートである。
図９は、ダイジェスト視聴情報のコピーの有無をユーザに問い合わせる画面を示す図である。
【００６６】
第一の実施形態では、プレイリスト作成時にインデックス情報（チャプタ情報）をコピーしてプレイリスト再生時にもチャプタを利用した機能を使えるようにしたものであった。
【００６７】
本実施形態は、第一の実施形態と同様の装置構成、データ構造で、プレイリスト作成時に装置独自の機能を利用できるようにするものである。
【００６８】
ここでは、装置独自の機能としてダイジェスト視聴機能を例に取ることにする。ダイジェスト視聴機能とは、装置がある番組の音声や映像データの特長から各場面の重要度を評価して、再生する際にその番組のダイジェスト版として重要な場面を繋いで再生できるようにするものである。あるいはユーザが番組の重要な場面を評価して作成できるようにしても良い。このような機能の実現は、ベンダー各社にとって仕様もデータ構造も異なるので、例えば評価の結果再生時に参照する重要度を表すデータは図２に示した、インデックス管理ディレクトリ２１０の下の装置独自情報２１３の中にこれを実現するためのデータが格納される。
【００６９】
装置独自情報２１３には、本実施形態のダイジェスト視聴機能を実現するためのダイジェスト視聴情報を含むものである。
【００７０】
プレイリストを作成する場合には、先ず、該当するプレイリストのプレイリスト用番組情報を生成する（Ｓ８０１）。
【００７１】
次に、ダイジェスト視聴情報をコピーするか否かを判定し（Ｓ８０２）、ダイジェスト視聴情報をコピーすることになっているときには、そのプレイリストに係るダイジェスト視聴情報をコピーすることにする（Ｓ８０３）。コピーしないこととなっている場合にはダイジェスト視聴情報をコピーせずに処理を終了する。
【００７２】
上記の処理も、図１に示した制御部（ＣＰＵ）１０７が、例えば、記録媒体１１０に格納されたプログラムを不揮発メモリ（ＲＡＭ）１０８にロードして実行することによりなされる。
【００７３】
ダイジェスト視聴情報の有無は、図９に示されるようにプレイリスト作成時にユーザに問い合わせるようにしてもよいし、システムの環境変数として持たせてユーザに変更できるようにさせてもよい。
【００７４】
すなわち、プレイリスト作成時にユーザに問い合わせる場合には、図９に示されるように、図５に示したプレイリスト作成画面の表示後に、画面９０１にダイジェスト視聴情報コピー問い合わせウィンドウ９０２を表示し、ユーザにリモコン４０や操作部１０６のボタンなどから選択させる。
【００７５】
〔実施形態３〕
次に、図１０ないし図１２を用いて本発明の第三の実施形態に係る映像再生装置の構成について説明する。
【００７６】
ユーティリティ機能の一例として、記録媒体に記録された番組やプレイリストを一覧表示する際に，番組の先頭やチャプタを設定した場面の映像をサムネイル画像として表示する機能がある。
【００７７】
本発明の第三の実施形態では図１０に示すようなデータ構造を意図している。すなわち、各番組あるいはプレイリスト＃ｉのファイルに付随するサムネイル画像情報は各々のインデックス管理ディレクトリ（２１０あるいは２１４）以下にある番組あるいはプレイリスト＃ｉ用のディレクトリ（２１１あるいは２１５）の下にインデックスに関するファイルと同列に配される（１００１〜１００４）。サムネイル画像の形式は例えばビットマップファイルやＪＰＥＧといった互換が取れるデータ形式をしている事が望ましい。
図１０は、ＨＤＤ６０におけるファイルとその管理情報のデータ構造の一例を表す図である（その二）。
図１１は、本発明の第三の実施形態に係る映像再生装置のプレイリスト作成時の処理について説明するフローチャートである。
図１２は、サムネイル画像のコピーの有無をユーザに問い合わせる画面を示す図である。
【００７８】
本実施形態は、第一の実施形態と同様の装置構成で、プレイリスト作成時に既にオリジナル番組情報として保存されているサムネイル画像を利用することで、新たに再びサムネイル画像を作成する手間を省くものである。
【００７９】
プレイリストを作成する場合に、先ず該当するプレイリストのプレイリスト用番組情報を生成する（Ｓ１１０１）。
【００８０】
次に、チャプタ用のサムネイル画像をコピーするか否かを判定し（Ｓ１１０２）、コピーすることになっているときには、そのプレイリストに係るサムネイル画像情報をコピーする（Ｓ１１０３）。サムネイル画像情報をコピーする手順は、例えば以下である。対象となるサムネイル画像の個数を確認、コピー先のプレイリスト用のサムネイル画像を記録するファイルを参照し、コピーを行なった場合にサムネイルの個数が上限値を超えないかを確認する。上限値を超えない場合、必要となるサムネイル画像のコピーを行う。上限値を超える場合は例えば制限を超えてしまう胸のメッセージをユーザに通知して処理を終了する。
【００８１】
Ｓ１１０２おいてコピーしないこととなっている場合にはサムネイル画像情報をコピーせずに処理を終了する。
【００８２】
上記の処理も、図１に示した制御部（ＣＰＵ）１０７が、記録媒体１１０に格納されたプログラムを不揮発メモリ（ＲＡＭ）１０８にロードして実行することによりなされる。
【００８３】
サムネイル画像情報の有無は、図１２に示されるようにプレイリスト作成時にユーザに問い合わせるようにしてもよいし、システムの環境変数として持たせてユーザに変更できるようにさせてもよい。コピーしないこととなっている場合にはサムネイル画像情報をコピーせずに処理を終了する。
【００８４】
サムネイル画像情報は、図２の装置独自情報２１３に含まれるものである。
【００８５】
すなわち、プレイリスト作成時にユーザに問い合わせる場合には、図１２に示されるように、図５に示したプレイリスト作成画面の表示後に、画面１２０１にサムネイル画像コピー問い合わせウィンドウ１２０２を表示し、ユーザにリモコン４０や操作部１０６のボタンなどから選択させる。
【図面の簡単な説明】
【００８６】
【図１】本発明の第一の実施形態に係る映像再生装置のハードウェア構成例を示すブロック図である。
【図２】ＨＤＤ６０におけるファイルとその管理情報のデータ構造の一例を表す図である（その一）。
【図３】本発明の第一の実施形態に係る映像再生装置の番組情報の再生に関係するデータ構造について説明する図である。
【図４】オリジナル番組情報のインデックスと、プレイリスト用番組情報のインデックスの関係を説明する図である。
【図５】プレイリスト作成画面の例を示す図である。
【図６】本発明の第一の実施形態に係る映像再生装置のプレイリスト作成時の処理について説明するフローチャートである。
【図７】チャプタ情報のコピーの有無をユーザに問い合わせる画面を示す図である。
【図８】本発明の第二の実施形態に係る映像再生装置のプレイリスト作成時の処理について説明するフローチャートである。
【図９】ダイジェスト視聴情報のコピーの有無をユーザに問い合わせる画面を示す図である。
【図１０】ＨＤＤ６０におけるファイルとその管理情報のデータ構造の一例を表す図である（その二）。
【図１１】本発明の第三の実施形態に係る映像再生装置のプレイリスト作成時の処理について説明するフローチャートである。
【図１２】サムネイル画像情報のコピーの有無をユーザに問い合わせる画面を示す図である。
【符号の説明】
【００８７】
１０…映像再生装置、１０５…リモコン受光部、１０６…操作部、１０７…制御部、１０８…不揮発性メモリ、１０１…受信部、１０２…画像／音声信号処理部、１０３…記録再生制御部、１０４…表示制御部、１１０…ＨＤＤ、１１０ａ…リムーバブルＨＤＤ、１１１…スロット。
【図１】
2008236145.tif 000003
【図２】
2008236145.tif 000004
【図３】
2008236145.tif 000005
【図４】
2008236145.tif 000006
【図５】
2008236145.tif 000007
【図６】
2008236145.tif 000008
【図７】
2008236145.tif 000009
【図８】
2008236145.tif 000010
【図９】
2008236145.tif 000011
【図１０】
2008236145.tif 000012
【図１１】
2008236145.tif 000013
【図１２】
2008236145.tif 000014